(57)【要約】本発明のファンユニットの一つの態様は、回転する羽根部および羽根部を回転可能に支持するフレーム部を有するファン本体と、ファン本体を収容する収容凹部が設けられた本体部およびフレーム部を収容凹部内に固定するスナップフィット部を有する筐体と、を備える。収容凹部は、上側を向く面を有する収容底部と、収容底部から上側に延びる収容内周部と、を有し上側に開口する。スナップフィット部は、収容内周部に沿って上側に延びる弾性部と、弾性部の先端部から水平方向に突出する爪部と、を有する。爪部の下面は、爪部の先端に向かうに従い上側に向かって傾斜する。フレーム部は、爪部の下面および収容底部に接触した状態で挟み込まれる。
2018147330.tif 000002
【特許請求の範囲】
【請求項１】
回転する羽根部および前記羽根部を回転可能に支持するフレーム部を有するファン本体と、  前記ファン本体を収容する収容凹部が設けられた本体部および前記フレーム部を前記収容凹部内に固定するスナップフィット部を有する筐体と、を備え、  前記収容凹部は、上側を向く面を有する収容底部と、前記収容底部から上側に延びる収容内周部と、を有し上側に開口し、  前記スナップフィット部は、前記収容内周部に沿って上側に延びる弾性部と、前記弾性部の先端部から水平方向に突出する爪部と、を有し、  前記爪部の下面は、前記爪部の先端に向かうに従い上側に向かって傾斜し、  前記フレーム部は、前記爪部の前記下面および前記収容底部に接触した状態で挟み込まれる、ファンユニット。
【請求項２】
前記筐体は、少なくとも一対の前記スナップフィット部を有し、  一対の前記スナップフィット部の前記爪部同士が、互いに対向する、請求項１に記載のファンユニット。
【請求項３】
前記爪部の上面は、前記爪部の先端に向かうに従い前記爪部の突出方向に対する傾きを大きくしながら下側に向かって傾斜し、請求項１又は２に記載のファンユニット。
【請求項４】
前記本体部は、前記収容底部から上側に延びる位置決めピンを有し、  前記フレーム部には、前記位置決めピンが挿入される位置決め孔が設けられている、請求項１〜３の何れか一項に記載のファンユニット。
【請求項５】
前記位置決めピンは、基端側から先端に向かうに従い前記位置決めピンの直径が小さくなるテーパ部を有する、請求項４に記載のファンユニット。
【請求項６】
前記ファン本体は、前記爪部の下面が接触して引っ掛かる上面を有する保持部を有し、  前記保持部の下面は、前記ファン本体を前記収容凹部に収容する際に前記爪部の上面と接触し、  前記保持部の下面が前記爪部の上面と接触した状態における、前記位置決め孔の下端と前記収容底部との距離が、前記位置決めピンの高さより小さい、請求項５に記載のファンユニット。
【請求項７】
前記位置決めピンは、上下方向に延びるピン本体と、前記ピン本体の外周面から突出し上下方向に延びる複数のリブと、を有する、請求項４〜６の何れか一項に記載のファンユニット。
【請求項８】
前記ファン本体は、上下方向の異なる位置に配置され上下方向から見て互いに重なり合う第１の保持部と第２の保持部とを有し、  前記第１の保持部および第２の保持部は、ファン本体を上下逆転させた場合にそれぞれ前記爪部が引っ掛かる、請求項１〜３の何れか一項に記載のファンユニット。
【請求項９】
前記本体部は、前記収容底部から上側に延びる位置決めピンを有し、  前記フレーム部の上面および下面には、ファン本体を上下逆転させた場合にそれぞれ前記位置決めピンが挿入される位置決め孔が設けられている、請求項８に記載のファンユニット。
【請求項１０】
前記位置決めピンは、基端側から先端に向かうに従い前記位置決めピンの直径が小さくなるテーパ部を有する、請求項９に記載のファンユニット。
【請求項１１】
前記第１および第２の保持部のうち何れか一方の下面は、前記ファン本体を前記収容凹部に収容する際に前記爪部の上面と接触し、  前記下面が前記爪部の上面と接触した状態における、前記位置決め孔の下端と前記収容底部との距離が、前記位置決めピンの高さより小さい、請求項１０に記載のファンユニット。
【請求項１２】
前記位置決めピンは、上下方向に延びるピン本体と、前記ピン本体の外周面から突出し上下方向に延びる複数のリブと、を有する、請求項９〜１１の何れか一項に記載のファンユニット。
【発明の詳細な説明】
【技術分野】
【０００１】
本発明は、ファンユニットに関する。
【背景技術】
【０００２】
電気機器には、内部で発生する熱を外部に放熱するための放熱装置（ファン本体）が取り付けられる場合がある。このような放熱装置の固定構造として、ネジ固定を採用するものが知られている（特許文献１）。
【先行技術文献】
【特許文献】
【０００３】
【特許文献１】特開２０００−２０９７１７号公報
【発明の概要】
【発明が解決しようとする課題】
【０００４】
放熱装置の固定構造としてスナップフィットを採用して低コスト化を図ることが考えられる。しかしながら、一般的に、スナップフィットを使用した固定構造は、緩みおよびがたつきが生じやすいという問題があった。  【０００５】
本発明の一つの態様は、上記問題点に鑑みて、低コスト化を図るとともに緩みおよびがたつきを抑制する固定構造を採用したファンユニットの提供を目的の一つとする。
【課題を解決するための手段】
【０００６】
本発明のファンユニットの一つの態様は、回転する羽根部および前記羽根部を回転可能に支持するフレーム部を有するファン本体と、前記ファン本体を収容する収容凹部が設けられた本体部および前記フレーム部を前記収容凹部内に固定するスナップフィット部を有する筐体と、を備え、前記収容凹部は、上側を向く面を有する収容底部と、前記収容底部から上側に延びる収容内周部と、を有し上側に開口し、前記スナップフィット部は、前記収容内周部に沿って上側に延びる弾性部と、前記弾性部の先端部から水平方向に突出する爪部と、を有し、前記爪部の下面は、前記爪部の先端に向かうに従い上側に向かって傾斜し、前記フレーム部は、前記爪部の前記下面および前記収容底部に接触した状態で挟み込まれる。
【発明の効果】
【０００７】
本発明の一つの態様によれば、低コスト化を図るとともに緩みおよびがたつきを抑制する固定構造を採用したファンユニットを提供できる。
【図面の簡単な説明】
【０００８】
【図１】図１は、一実施形態のファンユニットの斜視図である。
【図２】図２は、一実施形態のファンユニットの平面図である。
【図３】図３は、図２のIII−III線に沿う断面図である。
【図４】図４は、一実施形態の筐体の平面図である。
【図５】図５は、図４のＶ−Ｖ線に沿う部分断面図である。
【図６】図６は、一実施形態のファン本体を収容凹部に収容する過程を説明する断面図である。
【図７】図７は、一実施形態の収容底部に設けられた位置決めピンの斜視図である。
【図８】図８は、一実施形態の位置決め孔に挿入された位置決め孔の断面図である。
【発明を実施するための形態】
【０００９】
以下、図面を参照しながら、本発明の実施形態に係るファンユニット１について説明する。なお、図面においては、適宜３次元直交座標系としてＸＹＺ座標系を示す。ＸＹＺ座標系において、Ｚ軸方向は、ファン本体５の中心軸Ｊの軸方向と平行な方向とする。Ｙ軸方向は、Ｚ軸方向と直交する方向であって図１の右上から左下に延びる方向とする。Ｘ軸方向は、Ｙ軸方向とＺ軸方向との両方と直交する方向とする。  
【００１０】
また、以下の説明においては、Ｚ軸方向の正の側（＋Ｚ側，一方側）を「上側」と呼び、Ｚ軸方向の負の側（−Ｚ側，他方側）を「下側」と呼ぶ。なお、上側および下側とは、単に説明のために用いられる名称であって、実際の位置関係や方向を限定しない。また、特に断りのない限り、中心軸Ｊに平行な方向（Ｚ軸方向）を単に「軸方向」又は「上下方向」と呼び、中心軸Ｊを中心とする径方向を単に「径方向」と呼び、中心軸Ｊを中心とする周方向、すなわち、中心軸Ｊの軸周りを単に「周方向」と呼ぶ。  
【００１１】
＜ファンユニット＞  図１は、本実施形態のファンユニット１の斜視図である。図２は、ファンユニット１の平面図である。図３は、図２のIII−III線に沿う断面図である。  ファンユニット１は、２つのファン本体５と、２つのファン本体５を収容する筐体２とを備える。筐体２には、上側に開口する収容凹部３０が設けられている。ファン本体５は、筐体２の収容凹部３０に上側から挿入され、収容凹部３０に収容される。  
【００１２】
［ファン本体］  ファン本体５は、上下方向に延びる中心軸Ｊ周りに回転するインペラ（羽根部）５０と、インペラ５０を回転させる図示略のモータと、インペラ５０およびモータを支持するフレーム部５５と、を有する。  
【００１３】
インペラ５０は、中心軸Ｊに沿ってモータの回転軸と接続される筒状のインペラカップ５０ａと、インペラカップ５０ａの外周面から周方向に沿って配置された複数の翼５０ｂと、を有する。インペラ５０は、例えば、上側から見て反時計回りの向きに回転する。インペラ５０の内部には、モータが配置される。  
【００１４】
フレーム部５５は、上下方向に延びる角筒状である。フレーム部５５の外形は、上下方向から見て略正方形状である。フレーム部５５は、インペラ５０およびモータを径方向外側から周方向に囲んでいる。フレーム部５５は、インペラ５０を回転可能に支持する。また、フレーム部５５は、モータを下方から支持する。フレーム部５５は、四隅に配置された角部５５ａを有する。角部５５ａは、上下方向から見て略三角形状である。角部５５ａには、貫通孔５５ｂが設けられている。貫通孔５５ｂには、フレーム部５５を筐体２に固定するためのネジを挿入することができる。このようなネジは、後段において説明するスナップフィットによる固定構造のバックアップとして利用される。すなわち、スナップフィットによる固定構造が何らかの理由で損傷した場合であっても、貫通孔５５ｂにネジを挿入して筐体２に締め込むことで、フレーム部５５を筐体２に固定することができる。  
【００１５】
フレーム部５５は、上側を向く上面５５ｃと、下側を向く下面５５ｄと、を有する。上面５５ｃおよび下面５５ｄには、上下方向から見て少なくともインペラ５０と重なり合う部分に開口が設けられており、インペラ５０の回転に伴う送風を阻害しない。  
【００１６】
上側から見て、フレーム部５５の縁部には、４つの上側保持部（第１の保持部）５６が設けられている。上側保持部５６は、上面５５ｃと略平行な板状である。上側保持部５６は、上面５５ｃより下側に位置する。上側保持部５６は、上面５５ｃに対して下側に凹んでいる。図３に示すように、上側保持部５６は、上側を向く第１の保持上面（上面）５６ａと、第１の保持上面５６ａの反対側に位置し下側を向く第１の保持下面（下面）５６ｂと、を有する。４つの上側保持部５６は、上側から見てフレーム部５５の４辺のうち対向する２辺にそれぞれ一対ずつ設けられている。上側保持部５６の上側には、空間が設けられている。上側保持部５６の上側の空間には、後段において説明する筐体２の爪部４２が収容される。  
【００１７】
下側から見て、フレーム部５５の縁部には、上側保持部５６と同様の構成を有する４つの下側保持部（第２の保持部）５９が設けられている。下側保持部５９は、下面５５ｄより上側に位置し、上側保持部５６より下側に位置する。下側保持部５９は、下面５５ｄに対して上側に凹んでいる。下側保持部５９は、上側保持部５６を上下反転させた形状である。下側保持部５９は、上下方向から見て上側保持部５６と重なる。下側保持部５９は、ファン本体５を上下逆転させた場合に上側を向く第２の保持上面（上面）５９ａと、第２の保持上面５９ａの反対側に位置する第２の保持下面（逆転下面）５９ｂと、を有する。なお、図３において、第２の保持上面５９ａが下側を向く面であり、第２の保持下面５９ｂが上側を向く面である。  
【００１８】
本実施形態によれば、ファン本体５は、上下方向の異なる位置に配置され上下方向から見て互いに重なり合う上側保持部５６と下側保持部５９とを有する。上側保持部５６および下側保持部５９は、上側保持部５６および下側保持部５９は、ファン本体５を上下逆転させた場合にそれぞれ爪部が引っ掛かる。これにより、ファン本体５を上下逆転させて収容凹部３０に収容することが可能となり、筐体２に対する送風方向を容易に変更できる。  
【００１９】
図３に示すように、フレーム部５５の下面５５ｄは、ファン本体５が収容凹部３０に収容された状態で収容底部３１に接触する。下面５５ｄには、収容底部３１に設けられた位置決めピン３３が挿入される位置決め孔５７が設けられている。同様にフレーム部５５の上面５５ｃには、位置決め孔５７Ａが設けられている。位置決め孔５７Ａは、ファン本体５を上下逆転させて収容凹部３０に収容する場合に、位置決めピン３３が挿入される。  
【００２０】
［筐体］  図４は、筐体２の平面図である。また、図５は、図４のＶ−Ｖ線に沿う部分断面図である。  図４に示すように、筐体２は、２つの収容凹部３０が設けられた本体部３と、収容凹部３０に対して４つずつ設けられたスナップフィット部４と、を有する。収容凹部３０は、内部にファン本体５を収容する。スナップフィット部４は、ファン本体５のフレーム部５５をそれぞれの収容凹部３０内に固定する。  
【００２１】
［本体部３］  本体部３は、上下方向から見て一方向（本実施形態においてＹ軸方向）を長辺３ａ、３ｂとする平面視矩形状である。本体部３は、上下方向から見て、一対の長辺３ａ、３ｂの中央を通過する中心線Ｌを基準として、左右対称な形状である。本体部３は、上側を向く上面３ｃを有する。  
【００２２】
収容凹部３０は、本体部３の上面３ｃから下側に凹み上側に開口する。２つの収容凹部３０は、本体部３の長辺３ａ、３ｂが延びる方向に並んで設けられている。収容凹部３０は、上側から見て、略正方形状を有する。収容凹部３０は、底面（上側を向く面）３１ａを有する収容底部３１と、収容底部３１から上側に延びる収容内周部３２と、を有する。  
【００２３】
収容底部３１は、上側から見て略正方形状である。収容底部３１には、上下方向に貫通する開口３１ｈが設けられている。収容底部３１の開口３１ｈは、上下方向から見て少なくともファン本体５のインペラ５０と重なり、インペラ５０の回転に伴う送風を阻害しない。  
【００２４】
収容底部３１の底面３１ａには、収容底部３１内にファン本体５を位置決めする位置決めピン３３が設けられている。位置決めピン３３は、収容底部３１から上側に延びる。位置決めピン３３は、フレーム部５５に設けられた位置決め孔５７に挿入される。  
【００２５】
収容内周部３２は、収容凹部３０を径方向外側（水平方向）から囲む。収容内周部３２は、底面３１ａの外縁から上側に向かって角筒状に延びる。図４に示すように、収容内周部３２には、上側および収容凹部３０の内側に向かって開口する４つの凹部３２ａが設けられている。１つの収容凹部３０に設けられた４つの凹部３２ａのうち２つは、本体部３の一方の長辺３ｂに沿って設けられ、他の２つは、他方の長辺３ｂに沿って設けられている。図３に示すように、凹部３２ａは、本体部３の上面３ｃから下側に向かって収容凹部３０の深さ方向（上下方向）中程まで延びる。凹部３２ａは、上側を向く凹底面３２ｂを有する。凹底面３２ｂは、上下方向において、収容凹部３０の底面３１ａと本体部３の上面３ｃとの間に位置する。  
【００２６】
［スナップフィット部］  図５に示すように、スナップフィット部４は、収容内周部３２に沿って上側に延びる弾性部４１と、弾性部４１の上側の先端部から収容凹部３０の内側に向かって水平に突出する爪部４２と、爪部４２より上側に位置して上側に突出する把持部４３と、を有する。  
【００２７】
弾性部４１は、凹部３２ａの凹底面３２ｂから上側に向かって延びている。図４に示すように、弾性部４１は、上下方向から見て、本体部３の長辺３ａ、３ｂの延びる方向を長辺とする矩形状である。弾性部４１は、本体部３の長辺３ａ、３ｂの延びる方向と直交する方向（Ｘ軸方向）に撓みやすい。図５に示すように、弾性部４１は、収容凹部３０の内側を向く前面４１ａを有する。弾性部４１は、収容凹部３０の内部にファン本体５を収容した状態で弾性変形しており、ファン本体５の第１の保持上面５６ａに爪部４２を押し付け
る応力を付与する。  
【００２８】
爪部４２は、弾性部４１の上端部に位置する。爪部４２は、収容凹部３０の内側に位置する先端４２ｔを有する。爪部４２は、弾性部４１の前面４１ａから先端４２ｔに向かって突出する。また、爪部４２は、上側を向く爪部上面（上面）４２ｂと、その反対側に位置し下側を向く爪部下面（下面）４２ａと、を有する。  
【００２９】
ファン本体５を収容凹部３０に収容する過程で、ファン本体５を収容凹部３０に向けて下側に移動させると、ファン本体５の第１の保持下面５６ｂが、爪部上面４２ｂを滑り、弾性部４１が撓んで爪部４２が収容凹部３０の外側に移動する。さらに、第１の保持上面５６ａが爪部下面４２ａより下側に達した段階で、爪部４２が収容凹部３０の内側に移動し爪部４２が上側保持部５６に引っかかる。  
【００３０】
爪部下面４２ａは、収容凹部３０にファン本体５を収容しない状態で、収容底部３１の底面３１ａに対向する。爪部下面４２ａは、爪部４２の先端４２ｔに向かうに従い上側に向かって傾斜する。図３に示すように、爪部下面４２ａは、ファン本体５のフレーム部５５の上側保持部５６の第１の保持上面５６ａに接触する。  
【００３１】
従来のスナップフィット構造では、スナップフィット構造で固定する対象物の寸法がバラついて小さくなると、互いに引っ掛かり合う部分同士の間に隙間が生じる。そのため、スナップフィット構造で固定した対象物が生じた隙間の分だけがたつく場合があった。  
【００３２】
これに対して本実施形態では、爪部下面４２ａの突出方向の基端から底面３１ａまでの上下方向に沿う距離は、フレーム部５５の第１の保持上面５６ａと下面５５ｄとの上下方向に沿う距離より小さい。一方で、爪部下面４２ａの突出方向の先端から底面３１ａまでの上下方向に沿う距離は、フレーム部５５の第１の保持上面５６ａと下面５５ｄとの上下方向に沿う距離より大きい。爪部４２は、爪部下面４２ａが上述したように傾斜する。爪部下面４２ａは、弾性部４１の弾性により収容凹部３０の内側に押し付けられるため、フレーム部５５の第１の保持上面５６ａと下面５５ｄとの上下方向に沿う寸法がばらつく場合であっても、爪部下面４２ａが突出方向の何れかの位置で第１の保持上面５６ａと接触する。これにより、爪部下面４２ａと底面３１ａとの間にフレーム部５５を上下方向から挟み込むことができ、弾性部４１の弾性に起因する応力を付与できる。フレーム部５５が、爪部下面４２ａおよび収容底部３１に接触した状態で挟み込まれて、フレーム部５５のがたつきが抑制される。  
【００３３】
図４に示すように、スナップフィット部４は、それぞれの収容凹部３０に４つずつ設けられている。本実施形態の筐体２には、２つの収容凹部３０が設けられているため、筐体２は、合計８つのスナップフィット部４を有する。１つの収容凹部に設けられた４つのスナップフィット部４は、本体部３の一方の長辺３ａ側に沿って配置された２つの第１のスナップフィット部４Ａと、他方の長辺３ｂ側に沿って配置された２つの第２のスナップフィット部４Ｂと、に分類される。第１のスナップフィット部４Ａと第２のスナップフィット部４Ｂは、対をなしている。対をなす第１および第２のスナップフィット部４Ａ、４Ｂは、本体部３の長辺３ａ、３ｂが延びる方向と直交する方向（Ｘ軸方向）に沿って対向する。一対のスナップフィット部（第１および第２のスナップフィット部４Ａ、４Ｂ）の爪部４２同士は、互いに対向する。爪部下面４２ａは、対向する爪部４２側に向かうに従い上側に傾くため、ファン本体５には、一対の爪部４２の爪部下面４２ａからそれぞれ向かい合う方向の応力が加わる。すなわち、一対のスナップフィット部４Ａ、４Ｂの爪部４２同士が、フレーム部５５を反対側に押し付けあって、フレーム部５５の緩みおよびがたつきを抑制することができる。  
【００３４】
本実施形態によれば、ネジ等の締結構造を用いることなく、収容凹部３０に収容されたファン本体５の緩みおよびがたつきを抑制することが可能となる。これにより、部品点数を低減するとともに組み立て工程を簡素化して、低コスト化を実現出来る。  
【００３５】
なお、スナップフィット部４は、必ずしも一対の爪部４２同士が対向して配置されていなくてもよい。一例として、スナップフィット部４が、一対の長辺３ａ、３ｂのうち一方の長辺３ａ側にのみ配置されていてもよい。この場合、スナップフィット部４が、ファン本体５を収容凹部３０の他方の長辺３ｂ側の収容内周部３２に押し付ける応力を生じて、ファン本体５のがたつきを抑制する。  
【００３６】
水平面に対する爪部下面４２ａの傾斜角θａ（図５参照）は、０°超かつ４５°未満とすることが好ましく、３°以上９°以下とすることがより好ましい。  傾斜角θａを０°超とすることで、爪部４２は、フレーム部５５を収容凹部３０の内側に押し当てて上述の効果を奏することができる。また、傾斜角を３°以上とすることで、爪部４２がフレーム部５５を収容凹部３０の内側に押し付ける応力を十分に大きくすることができ、フレーム部５５の緩みおよびがたつきをより効果的に抑制できる。  傾斜角θａを４５°未満とすることで、収容凹部３０にファン本体５を収容した状態で、ファン本体５に上側の応力が生じた場合であっても、爪部下面４２ａと第１の保持上面５６ａとが滑り合うことを抑制でき、ファン本体５が収容凹部３０から離脱することを抑制できる。また、傾斜角θａが、９°以下とすることでより効果的にファン本体５の離脱を抑制できる。  
【００３７】
爪部上面４２ｂは、爪部４２の先端４２ｔに向かうに従い下側に向かって傾く。  図６は、ファン本体５を下側に移動させ収容凹部３０に収容する過程を説明する断面図である。ファン本体５を収容凹部３０に収容する過程で、ファン本体５の第１の保持下面５６ｂは、爪部上面４２ｂを滑る。爪部上面４２ｂが、爪部４２の先端に向かうに従い下側に向かって傾くことで、ファン本体５を下側に移動させる応力によって、弾性部４１を外側に弾性変形させて爪部４２を収容凹部３０の外側に移動させることができる。これにより、一対のスナップフィット部４Ａ、４Ｂの爪部４２同士の距離をファン本体５幅より広げて、ファン本体５を収容凹部３０に収容できる。  
【００３８】
爪部上面４２ｂは、円弧状に湾曲しており、爪部４２の先端４２ｔに向かうに従い爪部４２の突出方向（図５において、−Ｘ方向）に対する傾きが大きくなる。すなわち、爪部４２の先端４２ｔに向かうに従い爪部４２の突出方向に対する傾きを大きくしながら下側に向かって傾斜する。  
【００３９】
爪部４２の突出方向に対する爪部上面４２ｂの傾き角を上面傾斜角と呼ぶこととする。上面傾斜角を９０°に近づけると、ファン本体５の収容過程において、第１の保持下面５６ｂから爪部上面４２ｂに及ぼす力のうち横向きの分力の割合が大きくなるため、小さな力で弾性部４１を弾性変形させることができる。したがって、小さな力で、ファン本体５を収容凹部３０に収容させることができるが、一方で、爪部４２の上下方向に沿う寸法が大きくなる。  
【００４０】
本実施形態においては、爪部上面４２ｂを湾曲させて先端４２ｔに近づけるに従い爪部４２の突出方向に対する爪部上面４２ｂの傾きを大きくして徐々に９０°に近づけている。これにより、ファン本体５の収容作業を容易とするとともに爪部４２の上下方向に沿う寸法を十分に小さくできる。  加えて本実施形態によれば、爪部上面４２ｂが上述の構成を有することで、弾性部４１の弾性変形に伴い、爪部４２の姿勢が収容凹部３０の外側に傾いた場合であっても、爪部上面４２ｂの傾斜角を確保して滑らかな収容作業を可能とする。  
【００４１】
把持部４３は、爪部４２から上側に突出する。作業者は、把持部４３を把持して爪部４２を収容凹部３０の外側に向かって移動させるように弾性部４１を弾性変形させることができる。これにより、作業者は、上側保持部５６に対する爪部４２の掛かりを解除してファン本体５を収容凹部３０から取り出すことができる。  
【００４２】
［位置決めピンおよび位置決め孔］  図７は、収容底部３１に設けられた位置決めピン３３の斜視図である。図８は、位置決め孔５７に挿入された位置決め孔５７の断面図である。  
【００４３】
図７に示すように位置決めピン３３は、収容底部３１の底面３１ａから上側に突出する。位置決めピン３３は、収容底部３１の底面３１ａに設けられた凹部３３ｈの内側に位置する。凹部３３ｈは、下側に向かって窪む。凹部３３ｈの平面視外形は、円形状である。上下方向から見て、位置決めピン３３と凹部３３ｈとは同心円形状である。  
【００４４】
位置決めピン３３は、上下方向と平行な軸線Ｏ１に沿って上下方向に延びるピン本体３４と、ピン本体３４の外周面に設けられた複数のリブ３５と、を有する。  
【００４５】
ピン本体３４は、円柱部３４ｂとテーパ部３４ａとを有する。すなわち、位置決めピン３３は、円柱部３４ｂとテーパ部３４ａとを有する。円柱部３４ｂは、軸線Ｏ１を中心として軸線Ｏ１に沿って延びる。円柱部３４ｂの直径は一様である。テーパ部３４ａは、円柱部３４ｂより上側に位置する。テーパ部３４ａは、位置決めピン３３の基端３３ｂ側から先端３４ｔに向かうに従い、位置決めピン３３の直径が小さくなる。テーパ部３４ａが設けられていることによって、位置決め孔５７に対する位置決めピン３３の挿入が容易となる。すなわち、作業者は、収容底部３１に向かってファン本体５を下側に移動させるのみで、テーパ部３４ａに沿って位置決めピン３３を位置決め孔５７に挿入することができ、容易な位置決めを実現できる。  
【００４６】
図６に示すように、ファン本体５を収容凹部３０に収容する過程で、第１の保持下面５６ｂは、爪部上面４２ｂと接触する。このように、第１の保持下面５６ｂと爪部上面４２ｂが接触した状態において、位置決め孔５７の下端と収容底部３１との距離Ｄ３が、位置決めピン３３の高さｄより小さい。したがって、位置決めピン３３は、ファン本体５を下方に移動させ収容凹部３０に収容する過程で第１の保持下面５６ｂと爪部上面４２ｂとが接触する前に、位置決め孔５７に挿入される。スナップフィット部４の弾性部４１を弾性変形させるためにファン本体５を下側に押し付ける前に、位置決めピン３３を位置決め孔５７に挿入できる。作業者は、ファン本体５を下側に押し付けながら、位置決めピン３３と位置決め孔５７の位置合わせをする必要がない。  なお、ここでは、上側保持部５６と位置決め孔５７と位置決めピン３３の上下方向の位置関係について説明した。このような関係は、ファン本体５を上下逆転させた状態で収容凹部３０にファン本体５を収容する場合における下側保持部５９と位置決め孔５７Ａと位置決めピン３３との関係にも適用されている。すなわち、ファン本体５を上下逆転させた状態でファン本体５を下側に移動させ第２の保持下面５９ｂを爪部上面４２ｂと接触させた状態において、位置決め孔５７Ａの下端と収容底部３１との距離は、位置決めピン３３の高さより小さい。  
【００４７】
複数のリブ３５は、ピン本体３４の円柱部３４ｂから軸線Ｏ１の径方向外側に向かって放射状に突出する。また、リブ３５は、軸線Ｏ１に沿って延びる。本実施形態においてリブ３５は、上下方向に細長い角柱状である。リブ３５は、凹部３３ｈの底面から円柱部３４ｂの外周面に沿って上側に延びる。複数のリブ３５は、軸線Ｏ１周りに沿って等間隔に配置される。本実施形態において、リブ３５は、１つのピン本体３４に対して軸線Ｏ１周りに９０°間隔で４つ設けられている。  
【００４８】
位置決めピン３３を位置決め孔５７に挿入することで、複数のリブ３５は、位置決め孔５７の内周面と接触する。そのため、リブ３５を径方向内側に弾性変形させて位置決めピン３３を位置決め孔５７に圧入することができる。これにより、位置決めピン３３の位置が位置決め孔５７に対してずれることを抑制できる。したがって、収容凹部３０の内部においてファン本体５がずれることなく位置精度よく固定できる。また、図７に示すように、本実施形態のリブ３５は、上端部の突出高さが下側から上側に向
かうに従って小さくなる。これにより、位置決め孔５７に対する位置決めピン３３の圧入の容易性が高まる。  
【００４９】
位置決めピン３３を位置決め孔５７に圧入すると、弾性変形するリブ３５の一部が削れる場合がある。本実施形態によれば、凹部３３ｈが設けられるため、削れたリブ３５の一部が凹部３３ｈ内に落下する。したがって、削れたリブ３５がファン本体５のフレーム部５５の下面５５ｄと収容凹部３０の底面３１ａとの間に挟み込まれることがなく、ファン本体５が底面３１ａから浮き上がることを抑制できる。  
【００５０】
本発明は上述の実施形態に限られず、他の構成を採用することもできる。例えば、筐体２に取り付けられるファン本体５の数は、上述の実施形態に限定されない。  また、１つの収容凹部３０に対するスナップフィット部４の数は、上述の実施形態に限定されない。  また、複数のスナップフィット部を有する場合には、少なくとも１つのスナップフィット部４の爪部下面４２ａが傾斜していればよい。  また、爪部上面４２ｂの形状は、上述の実施形態に限定されない。  また、上述の実施形態では、爪部４２が上側保持部５６に引っ掛かる場合を例示したが、フレーム部５５の上面５５ｃに引っかかる構造を採用してもよい。  また、上述の実施形態では、フレーム部５５に下側保持部５９が設けられていることで、ファン本体５を上下逆転しても筐体２に取り付けられる構造が採用されている。しかしながら、下側保持部５９を設けない構造を採用し、上下逆転した場合にはファン本体５を筐体２に取り付けられない構造としてもよい。その場合には、ファン本体５が上下逆転して組み付けられることを抑制できる。  
【００５１】
上記の各構成は、相互に矛盾しない範囲内において、適宜組み合わせることができる。
【符号の説明】
【００５２】
１…ファンユニット、２…筐体、３…本体部、４，４Ａ，４Ｂ…スナップフィット部、５…ファン本体、３０…収容凹部、３１…収容底部、３１ａ…底面（上側を向く面）、３１ｈ…開口、３２…収容内周部、３３…位置決めピン、３４…ピン本体、３４ａ…テーパ部、３５…リブ、４１…弾性部、４２…爪部、４２ａ…爪部下面（下面）、４２ｂ…爪部上面（上面）、４２ｔ…先端、５０…インペラ（羽根部）、５５…フレーム部、５６…上側保持部（保持部、第１の保持部）、５６ａ，５９ａ…保持上面（上面）、５６ｂ，５９ｂ…保持下面（下面）、５７，５７Ａ…位置決め孔、５９…下側保持部（保持部、第２の保持部）、ｄ…高さ、Ｄ３…距離
【図１】
2018147330.tif 000003
【図２】
2018147330.tif 000004
【図３】
2018147330.tif 000005
【図４】
2018147330.tif 000006
【図５】
2018147330.tif 000007
【図６】
2018147330.tif 000008
【図７】
2018147330.tif 000009
【図８】
2018147330.tif 000010
【国際調査報告】
2018147330.tif 000011
2018147330.tif 000012
2018147330.tif 000013
2018147330.tif 000014